(57)【要約】【課題】製造コストを増加することなく、簡単な構成で磁気ヘッドと磁気ストライプとを正確に位置合わせできる記録装置を提供すること。【解決手段】磁気ヘッド３４が記録媒体Ｓに設けられた磁気ストライプＭＳを走査して当該磁気ストライプＭＳへ磁気情報の記録もしくは読み込みを行うドットインパクトプリンタ１０において、記録媒体Ｓの搬送時に磁気ヘッド３４の走査路７０を覆い、この走査路７０上に記録媒体Ｓの搬送経路Ｐを形成する可動紙案内８０を備え、この可動紙案内８０に、記録ヘッド１８が画像を記録し、磁気ヘッド３４が磁気ストライプＭＳを走査する前に、記録媒体Ｓの後端部Ｓ１と当接して当該記録媒体Ｓを整列するための爪部８１を設けた。【選択図】図７
2009157548.tif 000002
【特許請求の範囲】
【請求項１】
記録媒体を搬送する搬送手段と、前記記録媒体に画像を記録する記録ヘッドと、前記記録媒体の搬送方向に対して前記記録ヘッドと直列に配置された磁気ヘッドとを備え、この磁気ヘッドが前記記録媒体に設けられた磁気ストライプを走査して当該磁気ストライプへ磁気情報の記録もしくは読み込みを行う記録装置において、
前記記録媒体の搬送時に前記磁気ヘッドの走査路を覆い、この走査路上に前記記録媒体の案内面を形成する可動式の案内板を備え、
この案内板に、前記記録ヘッドが前記画像を記録し、前記磁気ヘッドが前記磁気ストライプを走査する前に、前記記録媒体の一端と当接して当該記録媒体を整列する整列手段を設けたことを特徴とする記録装置。
【請求項２】
前記整列手段は、前記記録媒体の一端が当該整列手段に当接した際に、前記磁気ストライプが前記走査路の上方に位置するように配置されることを特徴とする請求項１に記載の記録装置。
【請求項３】
前記搬送手段は、挿入口から前記記録ヘッドに向けて前記記録媒体を搬送し、この記録ヘッドが当該記録媒体に画像を記録した後に、搬送方向を反転して前記挿入口から当該記録媒体を排出する構成を備え、
前記整列手段は、前記記録媒体を排出する方向に搬送する際に、当該記録媒体の後端と当接する爪部であることを特徴とする請求項１または２に記載の記録装置。
【発明の詳細な説明】
【技術分野】
【０００１】
本発明は、記録媒体に設けられた磁気ストライプへ磁気情報の記録もしくは読み込みを行う磁気ヘッドを備える記録装置に関する。
【背景技術】
【０００２】
金融機関等で使用されている通帳（記録媒体）には、磁気ストライプが貼着されているものが多い。このため、この種の通帳に文字を含む画像を記録する記録ヘッドを備えるとともに、この記録内容に基づく磁気情報を上記磁気ストライプに記録し、または、この記録された磁気情報の読み込みを行う磁気ヘッドを備える記録装置が知られている（例えば、特許文献１参照）。
【特許文献１】特開２００２−２８８５９１号公報
【発明の開示】
【発明が解決しようとする課題】
【０００３】
ところで、この種の記録装置では、磁気ストライプに磁気情報を正確に記録し、または、この記録された磁気情報を正確に読み込みするために、磁気ヘッドと磁気ストライプとを正確に位置合わせすることが要求される。
しかしながら、例えば、記録ヘッドにより通帳に画像を記録する場合等に、通帳が搬送方向に対して傾くことがあり、このような場合には、磁気ストライプに磁気情報を正確に記録し、または、この記録された磁気情報を正確に読み込みすることができないといった事態が考えられる。
これを解消するために、通帳を搬送する搬送ローラの外形精度や振れ精度を向上させて通帳の送り精度を高めることが一案として考えられるが、これでは高い加工精度が必要になり、製造コストが増大するといった問題がある。
【０００４】
そこで、本発明の目的は、上述した従来の技術が有する課題を解消し、製造コストを増加することなく、簡単な構成で磁気ヘッドと磁気ストライプとを正確に位置合わせできる記録装置を提供することにある。
【課題を解決するための手段】
【０００５】
上記目的を達成するために、本発明は、記録媒体を搬送する搬送手段と、前記記録媒体に画像を記録する記録ヘッドと、前記記録媒体の搬送方向に対して前記記録ヘッドと直列に配置された磁気ヘッドとを備え、この磁気ヘッドが前記記録媒体に設けられた磁気ストライプを走査して当該磁気ストライプへ磁気情報の記録もしくは読み込みを行う記録装置において、前記記録媒体の搬送時に前記磁気ヘッドの走査路を覆い、この走査路上に前記記録媒体の案内面を形成する可動式の案内板を備え、この案内板に、前記記録ヘッドが前記画像を記録し、前記磁気ヘッドが前記磁気ストライプを走査する前に、前記記録媒体の一端と当接して当該記録媒体を整列する整列手段を設けたことを特徴とする。
【０００６】
この構成によれば、記録媒体の搬送時に磁気ヘッドの走査路を覆い、この走査路上に記録媒体の案内面を形成する可動式の案内板を備え、この案内板には、記録ヘッドが画像を記録し、磁気ヘッドが磁気ストライプを走査する前に、記録媒体の一端と当接して当該記録媒体を整列する整列手段を設けたため、例えば、記録ヘッドが記録媒体に画像を記録する際に、この記録媒体が搬送方向に対して傾いたとしても、案内板に設けられた整列手段によって当該傾きが補正される。このため、簡単な構成で磁気ヘッドと磁気ストライプとの位置合わせを正確にすることができ、当該磁気ストライプに磁気情報を正確に記録し、または、この記録された磁気情報を正確に読み込みすることができる。
【０００７】
また、この構成において、前記整列手段は、前記記録媒体の一端が当該整列手段に当接した際に、前記磁気ストライプが前記走査路の上方に位置するように配置される構成としても良い。この構成によれば、整列手段により記録媒体の傾きが補正された後、この記録媒体を搬送することなく、傾きがない状態で磁気ストライプを走査することができるため、この磁気ストライプに磁気情報を正確に記録し、または、この記録された磁気情報を正確に読み込みすることができる。
【０００８】
また、前記搬送手段は、挿入口から前記記録ヘッドに向けて前記記録媒体を搬送し、この記録ヘッドが当該記録媒体に画像を記録した後に、搬送方向を反転して前記挿入口から当該記録媒体を排出する構成を備え、前記整列手段は、前記記録媒体を排出する方向に搬送する際に、当該記録媒体の後端と当接する爪部である構成としても良い。
この構成によれば、整列手段は、記録媒体を排出する方向に搬送する際に、当該記録媒体の後端と当接する爪部であるため、この爪部を案内板に設けるといった簡単な構成で記録媒体の傾きを補正することができる。
【発明の効果】
【０００９】
本発明によれば、簡単な構成で磁気ヘッドと磁気ストライプとの位置合わせを正確にすることができ、当該磁気ストライプに磁気情報を正確に記録し、または、この記録された磁気情報を正確に読み込みすることができる。
【発明を実施するための最良の形態】
【００１０】
以下、本発明の実施形態について図面を参照して説明する。
図１は、本実施形態に係る記録装置としてのドットインパクトプリンタの外観を示す正面斜視図である。図２は、プリンタ本体１１を示す外観斜視図である。図３は、プリンタ本体１１の要部構成を示す斜視図である。図４は、図１のプリンタ１０を示す側断面図である。
図１に示す記録装置としてのドットインパクトプリンタ１０は、記録ヘッド１８（図２乃至図４参照）が備える複数の記録ワイヤを、リボンカートリッジ３９（図２及び図４参照）から繰り出したインクリボン（不図示）を介して記録媒体Ｓに押し付け、この記録媒体Ｓ上にドットを形成することにより、文字を含む画像を記録するものである。
【００１１】
ドットインパクトプリンタ１０で使用可能な記録媒体Ｓとしては、所定長さに切断されたカットシートと、複数枚が連接された連続紙とがある。カットシートとしては、例えば単票紙や単票複写紙などの普通紙の他、通帳や葉書、封筒などがあり、連続紙としては、連続複写紙を含んでいる。図１に示す記録媒体Ｓは、通帳であり、複数枚の記録用紙が綴じられ、記録用紙の記録面を開いた場合の下面後端側に磁気ストライプＭＳが設けられている。なお、以下の説明において、記録媒体Ｓの４辺のうち、ドットインパクトプリンタ１０へ向かって差し込まれる側の辺を先端とし、この先端と対向する側の辺を後端とする。
【００１２】
このプリンタ１０は、図１に示すように、外装体としての上部カバー１２、上部ケース１３及び下部ケース１４を備えており、上部ケース１３及び下部ケース１４の前面には、記録媒体Ｓを挿入あるいは排出する手差口１５が開口している。
プリンタ１０は、図２に示すように、外装体としての上部カバー１２、上部ケース１３及び下部ケース１４に覆われるプリンタ本体１１を有している。このプリンタ本体１１は、下本体部１１Ａと、この下本体部１１Ａの後端部に軸１１Ｃで支持される上本体部１１Ｂとを備え、下本体部１１Ａは、上部ケース１３及び下部ケース１４（図１）に収納されると共に、上本体部１１Ｂは、上部カバー１２（図１）に固定されている。この上部カバー１２を開いたときに、上本体部１１Ｂが軸１１Ｃを中心に回動し、図３に示すように、プリンタ本体１１内部が露出することとなる。
【００１３】
プリンタ本体１１は、図２乃至図４に示すように、ベースフレーム１６（図４）、右サイドフレーム１７Ａ及び左サイドフレーム１７Ｂを備えた本体フレームと、記録ヘッド１８及びキャリッジ１９を備えた記録機構部２０と、プラテン２１、第１駆動ローラ２２Ａ（図４）、第１従動ローラ２２Ｂ、第２駆動ローラ２３Ａ、第２従動ローラ２３Ｂ、前方シート案内２４（図４）、後方シート案内２５、シート搬送モータ２６及び駆動輪列部２７を備えたシート搬送機構（搬送手段）１００と、記録媒体Ｓを整列させる整列板２８と、記録媒体Ｓに設けられた磁気ストライプＭＳの磁気情報を読み取り又は書き込む磁気ヘッド３４を備えた磁気データ読書部２９と、磁気情報の読み書き時に記録媒体Ｓの浮き上がりを上から押えるシート押え部３０と、を有している。
【００１４】
上記本体フレームのベースフレーム１６（図４）の略両端部には、図２に示すように、右サイドフレーム１７Ａ及び左サイドフレーム１７Ｂが立設して固定される。これら両サイドフレーム１７Ａ、１７Ｂ間には、図４に示すように、キャリッジ軸３１が架け渡されると共に、両サイドフレーム１７Ａ、１７Ｂ間に平坦面形状の前方シート案内２４及び後方シート案内２５が固定して設けられる。これらの前方シート案内２４と後方シート案内２５との間に、平面形状のプラテン２１が配置される。このプラテン２１には、記録ヘッド１８が対向して配置されている。
【００１５】
キャリッジ１９は、キャリッジ軸３１に摺動自在に挿通されるとともに、記録ヘッド１８を搭載している。キャリッジ１９は、当該キャリッジ１９を駆動する不図示のキャリッジ駆動モータの正転又は逆転により、不図示のタイミングベルトを介しキャリッジ軸３１に案内されて、このキャリッジ軸３１の軸方向及びプラテン２１の長手方向と一致する主走査方向（図２、３中矢印Ｘ方向）に、一対のサイドフレーム１７Ａ、１７Ｂの範囲で走行（走査）される。
記録ヘッド１８は、キャリッジ１９と共に主走査方向に走行される間に、記録ワイヤを突出させてインクリボンに打ち当て、このインクリボンのインクを、プラテン２１と記録ヘッド１８との間に搬送される記録媒体Ｓに付着させて、この記録媒体Ｓに文字を含む画像を記録する。このインクリボンは、リボンカートリッジ３９内に折り畳まれて収納される。このリボンカートリッジ３９は、本体フレーム（又はキャリッジ１９）に装着される。
【００１６】
プラテン２１は、キャリッジ１９の走行方向に延在して平面形状に形成され、その両端が、付勢部材としての付勢ばね４１により記録ヘッド１８に向けて付勢されるとともに、弾性支持されている。この付勢ばね４１は、圧縮コイルばねである。この付勢ばね４１の付勢力により、記録ヘッド１８の記録動作時における記録ワイヤの突出力が支持される。また、プラテン２１は、記録媒体Ｓの搬送中にこの記録媒体Ｓの厚さが変化した場合、又はプリンタ本体１１に厚さの異なる記録媒体Ｓが搬入された場合に、付勢ばね４１の付勢力に抗して、記録ヘッド１８の先端により押圧されて記録ヘッド１８から離れる方向に移動する。これにより、記録媒体の厚さにかかわらず、記録ヘッド１８の先端と記録媒体Ｓの記録面との間のギャップが一定に確保される。
【００１７】
シート搬送機構１００は、第１駆動ローラ２２Ａ、第１従動ローラ２２Ｂが、プラテン２１（記録ヘッド１８）に対してプリンタ本体１１の前方側（上流側）に配置され、第２駆動ローラ２３Ａ、第２従動ローラ２３Ｂが、プラテン２１（記録ヘッド１８）に対してプリンタ本体１１の後方側（下流側）に配置されて構成される。第１駆動ローラ２２Ａと第１従動ローラ２２Ｂとは、上下方向に配置されて対をなし、第２駆動ローラ２３Ａと第２従動ローラ２３Ｂとは、上下方向に配置されて対をなす。
第１駆動ローラ２２Ａ及び第２駆動ローラ２３Ａは、シート搬送モータ２６（図２、図３）及び駆動輪列部２７（図２、図３）によって回転駆動される駆動ローラであり、第１従動ローラ２２Ｂ及び第２従動ローラ２３Ｂは、それぞれ第１駆動ローラ２２Ａ及び第２駆動ローラ２３Ａ側に所定の押圧力でばね４２Ａ、４２Ｂによりばね付勢されている従動ローラである。これによって、第１駆動ローラ２２Ａと第１従動ローラ２２Ｂとが互いに反対方向に回転駆動されると共に、第２駆動ローラ２３Ａと第２従動ローラ２３Ｂとが互いに反対方向に回転駆動される。
【００１８】
駆動輪列部２７は、図２及び図３に示すように、右サイドフレーム１７Ａの外側に配置される。この駆動輪列部２７は、正転又は逆転可能なシート搬送モータ２６の駆動軸に回転一体に固定されたモータピニオン５１を備える。このモータピニオン５１からの駆動力が、減速ギア５２を介して第２駆動ローラ２３Ａ（図４）の第２ローラ軸３３（図４）に取り付けられた第２駆動ギア５３Ｂへ伝達され、更に、この第２駆動ギア５３Ｂから中間ギア５４を介して第１駆動ローラ２２Ａ（図４）の第１ローラ軸３２（図４）に取り付けられた第１駆動ギア５３Ａに伝達される。これにより、図４に示す第１駆動ローラ２２Ａ及び第２駆動ローラ２３Ａが同一方向に回転して、記録媒体Ｓをプリンタ本体１１内に搬送可能とする。つまり、図４に示す第１駆動ローラ２２Ａ及び第２駆動ローラ２３Ａは、シート搬送モータ２６が正転している場合、上記主走査方向に略直交する副走査方向である実線矢印Ａ方向（つまり、プリンタ本体１１内に搬送する方向）に記録媒体Ｓを搬送し、シート搬送モータ２６が逆転している場合、図４中、実線矢印Ｂ方向（つまり、プリンタ本体１１内から排出する方向）に記録媒体Ｓを搬送する。
【００１９】
図５は、磁気データ読書部２９の構成を示す斜視図である。磁気データ読書部２９は、図５に示すように、プリンタ本体１１の長手方向（図５中矢印Ｘ方向）に平行に渡された２本の磁気ヘッドガイド軸６０，６１と、これら磁気ヘッドガイド軸６０，６１に支持されて、上記長手方向に往復移動する磁気ヘッドユニット６２と、磁気ヘッドユニット６２に一部が固定された磁気ヘッド駆動ベルト６３と、磁気ヘッドユニット６２を往復移動すべく磁気ヘッド駆動ベルト６３を回転駆動する駆動モータ６４とを備える。磁気ヘッドユニット６２は、磁気ヘッド駆動ベルト６３に駆動されることにより記録媒体Ｓの磁気ストライプＭＳを走査する磁気ヘッド３４を備える。この磁気ヘッド３４は磁気ストライプＭＳを走査することにより当該磁気ストライプＭＳに磁気情報を記録し、または、この記録された磁気情報を読み取る。本実施形態では、磁気ヘッド３４は、プリンタ本体１１の手差口１５側に設けられており、記録媒体Ｓの搬送方向に対して記録ヘッド１８と直列に配置されるようになっている。
【００２０】
次に、プリンタ１０の動作の概略を説明する。
通帳としての記録媒体Ｓが図１に示す手差口１５から挿入されると、この記録媒体Ｓは、第１駆動ローラ２２Ａ及び第１従動ローラ２２Ｂにより挟まれてプラテン２１の手前まで矢印Ａ方向に搬送される。
このとき記録媒体Ｓの搬送方向の傾き（スキュー）を直すべく、記録媒体Ｓの搬送経路Ｐ内に整列板２８が突出し、この整列板２８に記録媒体Ｓが当接した状態で、さらに搬送されることにより、記録媒体Ｓの傾きが補正されて整列される。
次いで、整列板２８が搬送経路Ｐから退避し、記録媒体Ｓは、この記録媒体Ｓの磁気ストライプＭＳが磁気データ読書部２９で読み書き位置まで搬送される。その後、磁気データ読書部２９の駆動モータ６４が駆動され、磁気ヘッドユニット６２が上記磁気ヘッドガイド軸６０，６１に支持されてプリンタ本体１１の長手方向（図２、３中矢印Ｘ方向）に移動することにより、この磁気ヘッドユニット６２の磁気ヘッド３４が記録媒体Ｓの磁気ストライプＭＳから磁気情報を読み取る。
【００２１】
さらに、記録媒体Ｓがプラテン２１上の記録位置まで搬送されると、磁気データ読書部２９で読み取られた磁気情報に基づいて、記録ヘッド１８及びキャリッジ１９が上記主走査方向に移動する間に、記録媒体Ｓの記録面に文字を含む画像を記録する。
この記録ヘッド１８による記録動作は、記録ヘッド１８が主走査方向を左向き又は右向きに走行される間に、記録ヘッド１８の記録ワイヤにより１行分の記録がなされ、この１行分の記録がなされる度に、上記各ローラ２２Ａ、２２Ｂ、２３Ａ及び２３Ｂが記録媒体Ｓを矢印Ａ方向に所定長（通常行間分）搬送させ、これらの動作が繰り返されることにより実施される。
記録ヘッド１８による記録が終了すると、搬送方向は矢印Ｂ方向に反転する。そして、記録媒体Ｓは、各ローラ２２Ａ、２２Ｂ、２３Ａ及び２３Ｂによって、矢印Ｂ方向に上記読み取り位置まで搬送される。このとき、磁気データ読書部２９の駆動モータ６４が再び駆動され、磁気ヘッドユニット６２が上記長手方向に移動し、この磁気ヘッドユニット６２の磁気ヘッド３４が、記録媒体Ｓへ記録した情報に基づいて、磁気ストライプＭＳに磁気情報を書き込む（記録する）。最後に、第１駆動ローラ２２Ａ及び第１従動ローラ２２Ｂによって記録媒体Ｓが矢印Ｂ方向に搬送され、記録媒体Ｓが手差口１５から排出される。
【００２２】
ところで、上述のように、通帳としての記録媒体Ｓがプリンタ１０に挿入されると、この記録媒体Ｓは搬送経路Ｐ上を搬送されつつ、磁気データ読書部２９によって、記録媒体Ｓの磁気ストライプＭＳに磁気情報が記録され、または、この記録された磁気情報が読み取られる。このため、記録媒体Ｓを正確に読み書き位置に搬送し、磁気ヘッド３４が記録媒体Ｓの磁気ストライプＭＳから正確に磁気情報の読み書きを実行することが要求される。
ここで、磁気ヘッド３４が記録媒体Ｓの磁気ストライプＭＳから磁気情報を読み取る場合には、事前に整列板２８によって記録媒体Ｓの傾きが補正されているため、磁気ヘッド３４が読み取りエラーを生じることは少ない。一方、磁気ストライプＭＳに磁気情報を書き込む場合には、記録ヘッド１８によって画像を記録する際、または、画像の記録後に搬送方向を反転して記録媒体Ｓを搬送する際に、当該記録媒体Ｓに傾き（スキュー）が発生しやすく、書き込みエラーを生じることが想定される。
このため、本実施形態では、プリンタ１０は、記録ヘッド１８により画像が記録された後であって、磁気ヘッド３４が磁気ストライプＭＳに磁気情報を書き込む前に記録媒体Ｓの傾きを補正して整列させる手段を備えている。
【００２３】
図６及び図７は、プリンタ本体１１の下本体部１１Ａを示す斜視図であり、図６は、磁気ヘッド３４の走査路７０が開放した状態を示し、図７は磁気ヘッド３４の走査路７０が閉じた状態を示している。
下本体部１１Ａの上面には、図６及び図７に示すように、記録媒体Ｓが搬送される搬送経路（案内面）Ｐが形成されている。この搬送経路Ｐは、前方シート案内２４及び後方シート案内２５を備えて形成され、この前方シート案内２４には、当該前方シート案内２４に連なって記録媒体Ｓの搬送経路Ｐを形成する可動紙案内（案内板）８０が設けられている。
可動紙案内８０は、磁気ヘッド３４の走査路７０の上方に配置され、記録媒体Ｓの搬送時には、図７に示すように、搬送経路Ｐ上に進出して当該走査路７０を覆い、磁気ヘッド３４が磁気ストライプＭＳに対して磁気情報の読み書きをする時には、図６に示すように、搬送経路Ｐから退避して当該走査路７０を開放する板状の部材である。
【００２４】
可動紙案内８０が走査路７０を覆う場合、この可動紙案内８０の上面は、図８に示すように、前方シート案内２４と同一の高さに固定され、記録媒体Ｓをスムーズに搬送経路Ｐ上を搬送できるようになっている。また、可動紙案内８０は、前方シート案内２４側の端部に回動軸８２を備え、この回動軸８２には、不図示の紙案内駆動モータが連結されている。記録媒体Ｓの磁気ストライプＭＳが走査路７０上まで搬送されると、紙案内駆動モータを動作し、可動紙案内８０は、図９に矢印Ｙで示す方向に、回動軸８２を中心に回動し、磁気ヘッド３４の走査路７０を開放する。これにより、この走査路７０を磁気ヘッド３４が移動して、磁気ストライプＭＳを走査することにより、この磁気ストライプＭＳに磁気情報が記録、もしくは、読み込みを実行する。
また、可動紙案内８０には、図８に示すように、この可動紙案内８０が走査路７０を覆う場合に、搬送経路Ｐに延在する複数の爪部（整列手段）８１が一体に設けられている。この爪部８１は、磁気ヘッド３４が磁気ストライプＭＳに磁気情報を書き込む前に、記録媒体Ｓの後端部（一端）Ｓ１と当接し、当該記録媒体Ｓの傾きを補正して整列させるものである。
本構成では、複数の爪部８１を可動紙案内８０の長手方向に沿って、間隔を開けて設けているが、この可動紙案内８０と略同等の長さを持つ爪部を設けても良い。
【００２５】
この爪部８１は、側面視で略直角三角形形状をなしており、記録媒体Ｓをプリンタ本体１１内に挿入する方向（図中矢印Ａ方向）に搬送する場合に、この記録媒体Ｓを内部に案内する斜面部８１Ａと、記録媒体Ｓをプリンタ本体１１内から排出する方向（図中矢印Ｂ方向）に搬送する場合に、この記録媒体Ｓの後端部Ｓ１と当接して、記録媒体Ｓの移動を妨げるストッパ部８１Ｂとを備える。このストッパ部８１Ｂは、記録媒体Ｓを排出する方向に搬送する場合に、記録媒体Ｓの後端部Ｓ１が引っかかる程度の高さがあれば良い。
【００２６】
本実施形態では、爪部８１は、この爪部８１のストッパ部８１Ｂに記録媒体Ｓの後端部Ｓ１が当接した際に、この記録媒体Ｓの磁気ストライプＭＳが磁気ヘッド３４の走査路７０の上方に位置するような位置（可動紙案内８０の手差口側端部）に設けられている。この構成によれば、爪部８１により記録媒体Ｓの傾きが補正された後、この記録媒体Ｓを搬送することなく、補正後の傾きがない状態で磁気ストライプＭＳを走査することができるため、この磁気ストライプＭＳに正確に磁気情報を書き込むことができる。
【００２７】
次に、この可動紙案内８０の動作について説明する。
通帳としての記録媒体Ｓが図１に示す手差口１５から挿入されると、この記録媒体Ｓの先端部Ｓ２は、可動紙案内８０に設けられた爪部８１に当接する。この爪部８１の手差口１５側には、上り傾斜を有する斜面部８１Ａが設けられているため、記録媒体Ｓをプリンタ本体１１内に挿入する方向（図中矢印Ａ方向）に搬送する場合、記録媒体Ｓの先端部Ｓ２は、爪部８１の斜面部８１Ａに案内されて、プリンタ本体１１の内部に搬送される。
一方、上記記録ヘッド１８による画像の記録が終了し、記録媒体Ｓをプリンタ本体１１内から排出する方向（図中矢印Ｂ方向）に搬送する場合には、この記録媒体Ｓの後端部Ｓ１が爪部８１のストッパ部８１Ｂに当接する。この状態で記録媒体Ｓが搬送されることにより、記録媒体Ｓの傾きが補正されて整列される。
【００２８】
本構成では、搬送経路Ｐ上に記録媒体Ｓの後端部Ｓ１の位置を検出する不図示の紙検センサを備え、この紙検センサが記録媒体Ｓの後端部Ｓ１を検出すると、この検出位置から記録媒体Ｓの後端部Ｓ１が爪部８１のストッパ部８１Ｂに当接するまでの第１搬送量と、記録媒体Ｓの傾きを補正するのに十分な第２搬送量とが算出される。そして、これら第１及び第２搬送量の合算値に対応する所定パルス数だけシート搬送モータ２６を駆動した後、このシート搬送モータ２６の運転を停止する。ここで、シート搬送モータ２６の運転を停止するのは、記録媒体Ｓに過剰な力が作用することによる当該記録媒体Ｓの損傷を防止するためである。このため、上記した所定パルス数は、記録媒体Ｓを損傷することなく、当該記録媒体Ｓの傾きを補正するのに十分な程度に設定することが望ましい。
【００２９】
続いて、紙案内駆動モータが動作され、可動紙案内８０は、図９に示すように、回動軸８２を中心に回動し、磁気ヘッド３４の走査路７０を開放する。この場合、この走査路７０の上には、記録媒体Ｓの磁気ストライプＭＳが傾きを補正した状態で配置されるため、この磁気ストライプＭＳを磁気ヘッド３４が走査することによって、当該磁気ストライプＭＳに正確に磁気情報が書き込まれる。
【００３０】
磁気ストライプＭＳへの書き込みが終了すると、紙案内駆動モータを動作させ、可動紙案内８０を元の位置に戻すとともに、シート搬送モータ２６を動作させて、記録媒体Ｓを手差口１５から排出させる。この場合、紙案内駆動モータよりもシート搬送モータ２６を先に動作させて、記録媒体Ｓの後端部Ｓ１が可動紙案内８０の爪部８１よりも手差口１５に移動した後に、可動紙案内８０を元の位置に戻せば、爪部８１に記録媒体Ｓが引っかかることなく可動紙案内８０により案内することができる。
【００３１】
以上、説明したように、本実施形態によれば、記録媒体Ｓを搬送するシート搬送機構１００と、記録媒体Ｓに画像を記録する記録ヘッド１８と、記録媒体Ｓの搬送方向に対して記録ヘッド１８と直列に配置された磁気ヘッド３４とを備え、この磁気ヘッド３４が記録媒体Ｓに設けられた磁気ストライプＭＳを走査して当該磁気ストライプＭＳへ磁気情報の記録もしくは読み込みを行うドットインパクトプリンタ１０において、記録媒体Ｓの搬送時に磁気ヘッド３４の走査路７０を覆い、この走査路７０上に記録媒体Ｓの搬送経路Ｐを形成する可動紙案内８０を備え、この可動紙案内８０には、記録ヘッド１８が画像を記録し、磁気ヘッド３４が磁気ストライプＭＳを走査する前に、記録媒体Ｓの後端部Ｓ１と当接して当該記録媒体Ｓを整列するための爪部８１を設けたため、例えば、記録ヘッド１８が記録媒体Ｓに画像を記録する際に、この記録媒体Ｓが搬送方向に対して傾いたとしても、可動紙案内８０に設けられた爪部８１によって当該傾きが補正される。このため、簡単な構成で磁気ヘッド３４と磁気ストライプＭＳとの位置合わせを正確にすることができ、当該磁気ストライプＭＳに磁気情報を正確に記録し、または、この記録された磁気情報を正確に読み込みすることができる。
【００３２】
また、本実施形態によれば、爪部８１は、記録媒体Ｓの後端が当該爪部８１のストッパ部８１Ｂに接した際に、磁気ストライプＭＳが走査路７０の上方に位置するように配置されるため、爪部８１により記録媒体Ｓの傾きが補正された後、この記録媒体Ｓを搬送することなく、補正後の傾きがない状態で磁気ストライプＭＳを走査することができるため、当該磁気ストライプＭＳに磁気情報を正確に記録し、または、この記録された磁気情報を正確に読み込みすることができる。
【００３３】
以上、本発明の一実施形態について説明したが、本発明は、これに限定されるものでない。例えば、本実施形態では、整列手段として、可動紙案内８０に爪部８１を一体に設け、この可動紙案内８０が走査路７０を覆う場合には、常時、爪部８１が搬送経路Ｐに延在する構成としていたが、これに限るものではなく、記録媒体Ｓを搬入する際には搬送経路Ｐから退避し、この記録媒体Ｓを排出する際に搬送経路Ｐに突出する爪部を設ける構成としても良い。この場合、例えば、紙案内駆動モータによる可動紙案内８０の動作に連動して、この爪部を搬送経路Ｐに突出可能としても良いし、この爪部を単独で動作させるアクチュエータを設ける構成としても良い。
【００３４】
また、本実施形態では、爪部８１は、この爪部８１のストッパ部８１Ｂに記録媒体Ｓの後端部Ｓ１が当接した際に、この記録媒体Ｓの磁気ストライプＭＳが磁気ヘッド３４の走査路７０の上方に位置するような位置に設けているが、これに限るものではなく、例えば、可動紙案内８０の回動軸８２上方に爪部を設けても良い。この場合、整列後に磁気ストライプＭＳの読み書き位置まで、記録媒体Ｓを搬送することを要するが、搬送する距離は短いため、この搬送によって傾きが生じることは少なく、磁気ストライプＭＳに磁気情報を正確に記録し、または、この記録された磁気情報を正確に読み込みすることができる。
また、上記した爪部８１は、可動紙案内８０と別体に設けても良いことは勿論である。
【図面の簡単な説明】
【００３５】
【図１】実施の形態におけるドットインパクトプリンタの外観斜視図である。
【図２】プリンタ本体を示す斜視図である。
【図３】プリンタ本体の側断面図である。
【図４】プリンタ本体の要部を示す概略平面図である。
【図５】磁気データ読取部の構成を示す斜視図である。
【図６】磁気ヘッドの走査路が開放した状態を示す下本体部の斜視図である。
【図７】磁気ヘッドの走査路が閉じた状態を示す下本体部の斜視図である。
【図８】整列動作を説明するための模式図である。
【図９】整列動作を説明するための模式図である。
【符号の説明】
【００３６】
１０…ドットインパクトプリンタ（記録装置）、１１…プリンタ本体、１８…記録ヘッド、２９…磁気データ読書部、３４…磁気ヘッド、７０…走査路、８０…可動紙案内（案内板）、８１…爪部（整列手段）、８１Ａ…斜面部、８１Ｂ…ストッパ部、１００…シート搬送機構（搬送手段）、Ｓ…記録媒体、ＭＳ…磁気ストライプ、Ｐ…搬送経路（案内面）。
【図１】
2009157548.tif 000003
【図２】
2009157548.tif 000004
【図３】
2009157548.tif 000005
【図４】
2009157548.tif 000006
【図５】
2009157548.tif 000007
【図６】
2009157548.tif 000008
【図７】
2009157548.tif 000009
【図８】
2009157548.tif 000010
【図９】
2009157548.tif 000011